(57)【特許請求の範囲】
【請求項１】
長方形状の外側シートと、
該外側シートの一面側に重ねられており、三辺の周縁が前記外側シートの三辺に接着し
た長方形状の内側シートとを備えて袋体を形成し、
前記袋体の外面である前記内側シートの一面側に冊子を配置させて該冊子を覆う冊子カ
バーにおいて、
前記外側シート及び内側シート夫々の前記三辺と異なる一辺側に設けられ、前記袋体の
口を開閉する開閉部と、
前記外側シートの他面側に設けられ、前記外側シートが折り返された層状をなしており
、
一面が前記袋体の外側に面した外側層と、
該外側層の端部における第一折り目から内側に折り返された折り返し層と、
該折り返し層の端部における第二折り目から折り返し層内側に折り返されており、一面
が前記袋体の内側に面した内側層とを備え、
前記外側層の外面には、前記第一折り目の両端側より中央側の方が該第一折り目と垂直
な方向に突出した線状をなす溝が設けられており、
前記袋体に物品が収容されることにより、該袋体の外側に伸長する伸長部とを有する
ことを特徴とする冊子カバー。
【請求項２】
前記伸長部は、各層を接着して固定する固定部を前記一辺と垂直方向の両端側に備える
ことを特徴とする請求項１に記載の冊子カバー。
【請求項３】
前記外側シートには、前記伸長部と前記開閉部との間に、形状の異なる孔が複数設けら
れている
ことを特徴とする請求項１又は２に記載の冊子カバー。
【発明の詳細な説明】
【技術分野】
【０００１】
本発明は、冊子を覆う冊子カバーに関する。
【背景技術】
【０００２】
書籍、ノート又は手帳等の冊子を覆う冊子カバーには、例えば特許文献１に記載されているように、重なった内側及び外側の２枚のシートの間に空間が設けられ、筆記用具、メモ用紙等の物品を収容することができるものがある。
【先行技術文献】
【特許文献】
【０００３】
【特許文献１】特開２０１３−２２６７６４号公報
【発明の概要】
【発明が解決しようとする課題】
【０００４】
しかし、特許文献１に記載のカバーは、カバーを構成する２枚のシートが平坦なシートであるため、収容される物品は小さい筆記用具を想定している。従って携帯電話又は携帯音楽プレイヤー等、収容する物品が大きい場合、カバーが破損するという問題があった。あるいは、カバーを構成するシートが変形してしまうということも生じていた。
【０００５】
本発明は斯かる事情に鑑みてなされたものであり、厚みのある物品を収容することができる冊子カバーを提供することを目的とする。
【課題を解決するための手段】
【０００６】
本発明に係る冊子カバーは、長方形状の外側シートと、該外側シートの一面側に重ねられており、三辺の周縁が前記外側シートの三辺に接着した長方形状の内側シートとを備えて袋体を形成し、前記袋体の外面である前記内側シートの一面側に冊子を配置させて該冊子を覆う冊子カバーにおいて、前記外側シート及び内側シート夫々の前記三辺と異なる一辺側に設けられ、前記袋体の口を開閉する開閉部と、前記外側シートの他面側に設けられ、前記外側シートが折り返された層状をなしており、一面が前記袋体の外側に面した外側層と、該外側層の端部における第一折り目から内側に折り返された折り返し層と、該折り返し層の端部における第二折り目から折り返し層内側に折り返されており、一面が前記袋体の内側に面した内側層とを備え、前記外側層の外面には、前記第一折り目の両端側より中央側の方が該第一折り目と垂直な方向に突出した線状をなす溝が設けられており、前記袋体に物品が収容されることにより、該袋体の外側に伸長する伸長部とを有することを特徴とする。
【０００７】
本発明に係る冊子カバーは、前記伸長部は、各層を接着して固定する固定部を前記一辺と垂直方向の両端側に備えることを特徴とする。
【０００８】
本発明に係る冊子カバーは、前記外側シートには、前記伸長部と前記開閉部との間に、形状の異なる孔が複数設けられていることを特徴とする。
【発明の効果】
【００１０】
本発明によれば、外側シートに伸長部が設けられることにより、厚みのある物品を収容することができる冊子カバーを提供することができる。
【図面の簡単な説明】
【００１１】
【図１】冊子カバーを示す正面斜視図である。
【図２】冊子カバーを示す背面斜視図である。
【図３】冊子カバーを示す分解斜視図である。
【図４】冊子カバーを示す正面図である。
【図５】伸長部を示す断面図である。
【図６】冊子カバー及び冊子の使用状態を示す正面斜視図である。
【図７】外側第一表紙部を示す平面図である。
【図８】外側第一表紙部を示す平面図である。
【図９】外側第一表紙部を示す平面図である。
【図１０】外側第一表紙部を示す平面図である。
【図１１】外側第一表紙部を示す平面図である。
【図１２】外側第一表紙部を示す平面図である。
【図１３】外側第一表紙部を示す平面図である。
【図１４】冊子カバーの使用状態を示す部分斜視図である。
【図１５】外側第一表紙部を示す平面図である。
【図１６】外側第一表紙部を示す平面図である。
【図１７】外側第一表紙部を示す平面図である。
【図１８】外側第一表紙部を示す部分平面図である。
【図１９】外側第一表紙部を示す部分平面図である。
【図２０】冊子カバーを示す背面図である。
【発明を実施するための形態】
【００１２】
第１の実施形態
本実施形態における冊子カバー１について説明する。図１は、冊子カバー１を示す正面斜視図である。図２は、冊子カバー１を示す背面斜視図である。図３は、冊子カバー１を示す分解斜視図である。冊子カバー１は、内側シート２、外側シート３、第一差込シート４１及び第二差込シート４３を備える。内側シート２は内側第一表紙部２１、背部である内側背表紙部２２及び内側第二表紙部２３を備える。外側シート３は外側第一表紙部３１、背部である外側背表紙部３２及び外側第二表紙部３３を備える。
【００１３】
内側シート２は、長方形状をなしており、ポリエチレン、ポリプロピレン又は塩化ビニル等を含んだ樹脂製である。内側第一表紙部２１、内側背表紙部２２及び内側第二表紙部２３は、内側シート２の長手方向に連続して設けられている。内側第一表紙部２１及び内側第二表紙部２３は、同じ大きさの長方形状をなしている。内側背表紙部２２は、内側第一表紙部２１と内側第二表紙部２３との間を繋いでおり、短辺の長さは、内側第一表紙部２１及び内側第二表紙部２３の短辺よりも短い。
【００１４】
外側シート３は、長方形状をなしており、ポリエチレン、ポリプロピレン及び塩化ビニル等を含んだ樹脂製である。外側第一表紙部３１、外側背表紙部３２及び外側第二表紙部３３は、外側シート３の長手方向に連続して配置されている。外側第一表紙部３１、外側背表紙部３２及び外側第二表紙部３３は夫々、内側第一表紙部２１、内側背表紙部２２及び内側第二表紙部２３とほぼ同じ寸法をなしている。尚、内側シート２と外側シート３はある一辺において連続する。即ち一枚のシートから構成されてもよい。
【００１５】
内側シート２と外側シート３とは重なっており、２つの長辺側の縁、及び一方の短辺側の縁の三辺が接着され、一体化されている。即ち、内側シート２と外側シート３とが接着している接着部１１は、周縁に沿ってコの字状をなしている。これにより、内側シート２及び外側シート３により袋体が形成され、斯かる袋体の内部に物品を収容することができる。長方形状をなす外側シート３及び内側シート２の形状には正方形状も含まれる。            
【００１６】
第一差込シート４１及び第二差込シート４３は、夫々内側第一表紙部２１及び内側第二表紙部２３における、外側第一表紙部３１及び外側第二表紙部３３が接着している面の裏面側に接着されている。第一差込シート４１及び第二差込シート４３は、長辺が内側第一表紙部２１及び内側第二表紙部２３と同じ長さであり、短辺が内側第一表紙部２１及び内側第二表紙部２３よりも短い。
【００１７】
第一差込シート４１は、内側を除く三方の縁にあたる接着部１２にて、内側第一表紙部２１の縁と接着されている。一方、第一差込シート４１は、内側背表紙部２２側の長辺は内側シート２と接着されていない。これにより、第一差込シート４１における、内側背表紙部２２側の長辺側に差込口が形成される。
【００１８】
第二差込シート４３は、内側を除く三辺が接着されている接着部１３にて、内側第二表紙部２３の縁と接着されている。一方、第二差込シート４３は、内側背表紙部２２側の長辺は内側シート２と接着されていない。これにより、第二差込シート４３は、内側背表紙部２２側の長辺側に差込口が形成される。
【００１９】
内側第一表紙部２１と第一差込シート４１と、及び内側第二表紙部２３と第二差込シート４３とにより夫々形成された２つの差込口に、冊子９０の表表紙及び裏表紙を差し込んで使用される。これにより、冊子９０の表表紙及び裏表紙のうち一の表紙を内側第一表紙部２１及び外側第一表紙部３１が覆い、背表紙を内側背表紙部２２及び外側背表紙部３２が覆い、他の表紙を内側第二表紙部２３及び外側第二表紙部３３が覆う。冊子９０は例えば、書籍、ノート又は手帳等であるが、紙束の一辺側をリングで留めたようなものであってもよい。
【００２０】
内側第一表紙部２１及び外側第一表紙部３１の一方の長辺側の周縁には、開閉部６が設けられている。開閉部６は、レール６１、６２及びスライダー６３を含む。
【００２１】
内側第一表紙部２１の一方の長辺側の周縁にも、外側第一表紙部３１に向かう凹凸をなしたレール６１が設けられている。外側第一表紙部３１には、長辺に沿っており内側第一表紙部２１に向かう凹凸をなしたレール６２が設けられておいる。またレール６１、６２には、スライダー６３が跨って設けられており、該スライダー６３が摺動することにより、レール６１とレール６２とが嵌合及び離脱される。
【００２２】
スライダー６３を摺動し、内側第一表紙部２１のレール６１と外側第一表紙部３１のレール６２とを離脱させることにより、内側シート２及び外側シート３で構成される袋体に物品を収容することができる。また、収容後は、スライダー６３を摺動し、レール６１とレール６２とを嵌合させることにより、収容した物品が脱離することを防止することができる。
【００２３】
なお、レール６１、６２及びスライダー６３は樹脂製であるが、金属製であってもよい。また、レール６１、６２に代えて嵌合可能な歯が設けられていてもよい。
【００２４】
なお、開閉部６は、内側第一表紙部２１と外側第一表紙部３１との長辺側に設けられており、内側第一表紙部２１と外側第一表紙部３１とがなす袋体を開閉可能であれば、スライドファスナー以外であってもよい。例えば、袋体を開閉可能にする面ファスナーを設けてもよい。また、内側第一表紙部２１及び外側第一表紙部３１の夫々の周縁に磁石を設けてもよい。その他、内側第一表紙部２１及び外側第一表紙部３１には、袋体の口を留める留め具が設けられていてもよい。
【００２５】
図４は、冊子カバー１を示す正面図である。図５は、伸長部５を示す断面図である。図５は図４におけるＡ−Ａ断面図である。また、外側第一表紙部３１であって、望ましくは外側背表紙部３２近傍には、外側シート３が重ねられた伸長部５が設けられている。伸長部５は、物品が収容された場合、折り畳まれていた伸長部５が開き、外側第一表紙部３１が外側に伸長する。
【００２６】
伸長部５は外側シート３が折り返されており、外側層５１、折り返し層５２及び内側層５３の３層重ねられた層状をなしている。外側層５１、折り返し層５２及び内側層５３は夫々同形状の帯状をなしており、長手方向が外側第一表紙部３１の長辺に平行であり、長辺の全長に亘って設けられている。
【００２７】
伸長部５は、外側層５１における外側背表紙部３２側の端である第一折り目５１ａから内側に折り返され、外側層５１の下に折り返し層５２が重ねられる。さらに折り返し層５２は、開閉部６側の端である第二折り目５２ａから内側に折り返され、折り返し層５２の下に内側層５３が重ねられる。第一折り目５１ａと第二折り目５２ａとは共に、外側第一表紙部３１の長辺と平行をなしている。
【００２８】
外側層５１、折り返し層５２及び内側層５３の３層は、開閉部６側及び外側背表紙部３２側の垂直方向である両端にあたる２つの短辺が接着されている。本実施形態では伸長部５は３層に重なっているが、例えば５層又は７層等に重なっていてもよい。伸長部５は、袋体の外側方向、即ち内側シート２が設けられた方向とは逆方向に伸長する。
【００２９】
伸長部５が設けられることにより、開閉部６を開け、袋体に物品を収容するにあたり、収容量を増やすことができる。また、物品を収容することにより内側シート２又は外側シート３が引っ張られ、接着された周縁が裂けるといった事態を防ぐことができる。
【００３０】
また、伸長部５の最も外側の層である外側層５１には、外面に線状の溝５５が設けられている。溝５５は伸長部５の長手方向略全体に亘って設けられており、線状をなし、第一折り目５１ａの両端側より中央側の方が、該第一折り目５１ａの垂直方向である開閉部６側に突出した台形状の山型をなしている。
【００３１】
溝５５が設けられることにより、内側シート２と外側シート３とがなす袋体に物品が収容され、伸長部５が広がった場合に、溝５５に沿った折れ目が形成されるので、厚みのある物品を収納した場合でも見栄え良く収納することができる。
【００３２】
また、伸長部５の両端側、即ち両端よりやや内側には、固定部５４が設けられている。固定部５４は、３層に重なった外側層５１、折り返し層５２及び内側層５３の各層を接着して、固定している。固定部５４は例えば直角三角形状をなしており、スライダー６３に近い側より外側背表紙部３２側の方が、固定部５４が伸長部５の長手方向に長くなっている。なお、固定部５４の形状は、台形状であってもよく、その他多角形状、楕円形状等であってもよい。
【００３３】
袋体の中に物品を入れた場合、外側シート３の縁に力がかかり、外側シート３が裂ける、又は外側シート３と内側シート２との接着が剥がれる等、冊子カバー１が破損するという問題が生じる。しかし、伸長部５に固定部５４を設けることにより伸長部５の周縁付近が補強されるので、冊子カバー１の破損を防止することができる。なお、固定部５４は必ずしも設けられていなくてもよい。
【００３４】
また、外側第一表紙部３１における伸長部５と開閉部６との間であって、伸長部５近傍であり、且つ外側第一表紙部３１の一方の短辺側には、他方の短辺側に突出した弧状をなす孔３４が設けられている。図６は、冊子カバー１及び冊子９０の使用状態を示す正面斜視図である。斯かる孔３４には例えば筆記用具９１を袋体に挿入し、クリップ部分等を孔３４の周縁に係合させることができる。
【００３５】
加えて、外側第一表紙部３１における伸長部５と開閉部６との間であって、伸長部５近傍であり、且つ外側第一表紙部３１の他方の短辺側には、一方の短辺側に突出した弧状の孔３５が設けられている。孔３５は、孔３４とは形状が異なり、孔３４より小さい。例えば携帯音楽プレイヤー９２を袋体に入れた場合に、孔３５にイヤホンの配線９３を貫通させ、一部を袋体の外部に露出することができる。
【００３６】
図７は、外側第一表紙部３１を示す平面図である。また、孔３４、３５の代わりに溝３４１、３５１が設けられていてもよい。溝３４１、３５１は外側シート３が他の部分より薄くなっており、使用者は溝３４１、３５１に沿って外側シート３を手で裂くことができる。使用者が溝３４１、３５１に沿って外側シート３を裂くことにより、略弧状をなす曲線状の孔３４、３５が形成される。
【００３７】
また、図１及び図６に示すように外側第二表紙部３３には直線状のスリット８０が設けられている。スリット８０は、外側第二表紙部３３の長辺側の中央よりやや一方に寄っており、短辺側の中央に設けられている。スリット８０は、外側第二表紙部３３の短辺よりも１０度ないし３０度程度傾斜した直線状をなしており、短手方向の両端近くまで延びている。
【００３８】
また、スリット８０の両端には、スリットの幅より大きな直径の円状をなす円状部分が設けられている。斯かる円状部分を有することにより、スリット８０の端から外側第二表紙部３３が裂けることを防止する。外側第二表紙部３３に直線状のスリット８０が設けられていることにより、外側第二表紙部３３にも物品を収容することができる。スリット８０は、特に紙類など厚さの薄い物品を収容する場合に便利である。
【００３９】
本実施形態によれば、外側シート３に伸長部５が設けられていることにより、厚みのある物品を収容することができる冊子カバー１を提供することができる。
【００４０】
第２の実施形態
第２の実施形態について説明する。本実施形態は、孔３４の形状が第１の実施形態と異なる。図８は、外側第一表紙部３１を示す平面図である。外側第一表紙部３１には、図８に示すように直線状の孔３４が設けられていてもよい。また、図８において、孔７１の両端は、円状になっている。孔７１が斯かる形状であることにより、外側シート３の破損を防止することができる。図９は、外側第一表紙部３１を示す平面図である。なお、図９に示すように、直線状の孔７２の両端は、円形ではなく部分円状であってもよい。また、本実施形態において孔３４は、伸長部５の近傍に設けられているが、一例であり、その位置は問わない。
【００４１】
図１０は、外側第一表紙部３１を示す平面図である。外側第一表紙部３１には、図１０に示すように孔３４の形状は直線部分と円形部分とが連結部分を介して設けられていてもよい。直線部分は、外側第一表紙部３１の短辺と平行に設けられており、円形部分は直線部分の延長線上に設けられており、円形部分の直径と直線部分の幅とがほぼ等しい。また、連結部分は直線部分の孔より幅が狭い。
【００４２】
孔３４が図１０に示す形状であることにより、例えば直線部分と円形部分とを互いに異なる用途に用いることができる。
【００４３】
図１１は、外側第一表紙部３１を示す平面図である。外側第一表紙部３１に設けられた孔３４は、図１１に示すように一定の角度をなした複数の直線部分が連結された形状をなしていてもよい。例えば図１１では正六角形の一部を構成する形状をなしている。また、図１１において、孔３４の端部は円形をなしている。なお、孔３４は、外側第一表紙部３１の短辺に平行な直線状であってもよい。また、孔３５の形状は、図９から図１１までの孔３４と同様な形状であってもよい。
【００４４】
図１２は、外側第一表紙部３１を示す平面図である。図１２に示すように、孔３６が外側第一表紙部３１の縁に設けられていてもよい。外側第一表紙部３１の一方の短辺には切り欠きが設けられており、斯かる切り欠きを除く外側第一表紙部３１の縁が内側第一表紙部２１と接着することにより、孔３６が形成される。孔３６は、外側第一表紙部３１の短辺に平行な直線状をなしている。孔３６を縁に設けることにより、例えば筆記用具を孔３６に入れやすくなる。
【００４５】
第３の実施形態
第３の実施形態について説明する。本実施形態は、外側第一表紙部３１の孔が覆われている。
【００４６】
図１３は、外側第一表紙部３１を示す平面図である。外側第一表紙部３１には、一定の角度をなした複数の直線状の孔が連結された形状をなした孔３７が設けられている。孔３７は、両端が外側第一表紙部３１の長手方向に沿った直線状をなしており、斯かる両端の間に設けられた２本の線分が山型である形状をなしている。
【００４７】
さらに、斯かる孔全体を覆う矩形の覆部７０が設けられている。覆部７０は全周が外側第一表紙部３１に接着されており、さらに外側第一表紙部３１の短手方向に沿った直線状の孔７１が設けられている。孔７１の両端は、平面視において、外側第一表紙部３１の孔３７の両端と重なる位置になるよう配置されている。図１４は、冊子カバー１の使用状態を示す部分斜視図である。なお、本実施形態において孔３７及び覆部７０は、開閉部６の近傍に設けられているが、一例であり、その位置は問わない。なお、孔７１の両端は、平面視において、外側第一表紙部３１の孔３７の両端と重ならず近傍の位置になるよう配置されていてもよい。
【００４８】
図１５は、外側第一表紙部３１を示す平面図である。図１５において、外側第一表紙部３１の孔３７は、該外側第一表紙部３１の一方の短辺側に突出した弧を有する半円状をなしている。一方、覆部７０の孔７１は、該外側第一表紙部３１の長手方向側であって、外側第一表紙部３１の他方の短辺側に突出した弧を有する半円状をなしている。なお、孔３７及び孔７１は共に、直線部分の端に小さい半円状の部分が設けられている。斯かる半円状の部分が設けられていることにより、物品を挿入する際に、孔３７及び孔７１から外側第一表紙部３１が裂けることを防止する。外側第一表紙部３１の孔３７及び覆部７０の孔７１は平面視において、外側第一表紙部３１の長手方向に並置されている。
【００４９】
本実施形態によれば、覆部７０を設けることにより、塵などの異物が侵入することを抑えることができる。また、筆記用具等の物品を収容する場合に、位置が異なる孔７１及び孔３７を通じて挿入するので、物品の位置を固定することができる。
【００５０】
第４の実施形態
第４の実施形態について説明する。本実施形態は、伸長部５が複数設けられている。
【００５１】
図１６は、外側第一表紙部３１を示す平面図である。本実施形態では、外側第一表紙部３１に伸長部５、５が二つ設けられている。
【００５２】
一の伸長部５は、外側第一表紙部３１における外側背表紙部３２と近接した側に設けられている。他の伸長部５は、外側第一表紙部３１における開閉部６と近接した位置に設けられている。二つの伸長部５、５夫々は、第一折り目５１ａ及び第二折り目５２ａが、外側第一表紙部３１の長辺と平行になるように設けられている。二つの溝５５、５５は互いに対向する方向に突出している。
【００５３】
図１７は、外側第一表紙部３１を示す平面図である。伸長部５、５は、夫々の外側層が夫々同形状の帯状をなしており、長手方向が外側第一表紙部３１の短辺に平行であり、短辺の全長に亘って設けられていてもよい。また、長手方向が外側第一表紙部３１の短辺に平行な伸長部５と、長手方向が外側第一表紙部３１の長辺に平行な伸長部５とが組合せて設けられてもよい。例えば、外側第一表紙部３１の二つの短辺近傍に設けられ、長手方向が外側第一表紙部３１の短辺に平行な伸長部５、５と、外側背表紙部３２近傍に設けられ、長手方向が外側第一表紙部３１の長辺に平行な伸長部５とが、コの字状をなすように設けられてもよい。
【００５４】
本実施形態によれば、伸長部５を複数設けることにより、伸長部５が一つの場合と比較して収容することができる容量を増やすことができる。
【００５５】
第５の実施形態
第５の実施形態について説明する。本実施形態は、第１の実施形態と溝５５の形状が異なる。
【００５６】
図１８は、外側第一表紙部３１を示す部分平面図である。図１８における溝５５は、開閉部６側に突出した弧状をなしている。図１９は、外側第一表紙部３１を示す部分平面図である。また、溝５５は、図１９に示すように、２本の直線の端点が接合し、接合箇所が開閉部６側に突出した山型をなしていてもよい。溝５５は、第一折り目５１ａと垂直な方向に突出した線状をなしていれば他の形状であってもよい。
【００５７】
第６の実施形態
第６の実施形態について説明する。本実施形態は、第一差込シート４１及び第二差込シート４３の形態が異なる。
【００５８】
図２０は、冊子カバー１を示す背面図である。第一差込シート４１、４１…は、複数枚重ねられていてもよい。重なった第一差込シート４１、４１…は、周縁がコの字状に接着されている。これにより重なった第一差込シート４１、４１…の間にも紙などの物品を収容することができる。
【００５９】
また第一差込シート４１、４１は、中央付近において、第一差込シート４１、４１の短手方向に平行であり、互いに接着している直線状の接着部４４が設けられている。接着部４４は、重なった２枚の第一差込シート４１、４１を接着することにより、第一差込シート４１、４１の間が仕切られるので、小さい物品を収容する際に便利である。また、第二差込シート４３、４３…も同様に直線状の接着部４４が設けられている。
【００６０】
本実施形態によれば、第一差込シート４１、４１…又は第二差込シート４３、４３…が複数枚設けられていることにより、第一差込シート４１、４１…の間又は第二差込シート４３、４３…の間に物品を収容することができる。特に紙類など厚さの薄い物品を収容する場合に便利である。
【００６１】
第７の実施形態
第７の実施形態について説明する。本実施形態は、冊子カバー１を、電子機器を覆う電子機器用のカバーとして用いる。
【００６２】
冊子カバー１は、紙製の冊子９０に限らず、携帯電話、ＰＤＡ（Personal Digital Assistant）、ブックリーダ、タブレット端末又はノート型のコンピュータ等の電子機器を覆ってもよい。この場合において、例えば、第二差込シート４３に代えて、板状の電子機器の隅を留めるための留め具等を設けてもよい。留め具は例えば、電子機器の四隅に対応する箇所に設けられており、両端が内側シート２に接着された帯状をなし、留め具と内側シート２との隙間に電子機器の隅を挿入することができるものであってもよい。
【００６３】
なお、本実施形態において、内側シート２は、第１から第６までの実施形態における内側シート２より厚く、曲がりにくいように構成されていてもよい。
【００６４】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。また、各実施形態に記載されている技術的特徴は、相互に組合せ可能であり、組み合わせることにより、新しい技術的特徴を形成することができる。
【００６５】
以上の実施の形態に関し、さらに以下の付記を開示する。
［付記１］
前記外側シート及び内側シートは、前記冊子における背の位置に対応した背部を備え、
前記伸長部は、前記背部より開閉部側に設けられている
ことを特徴とする冊子カバー。
［付記２］
前記第一折り目及び第二折り目は、前記一辺と平行をなす
ことを特徴とする冊子カバー。
［付記３］
前記第一シートには、スリットが設けられている
ことを特徴とする冊子カバー。
【符号の説明】
【００６６】
１  冊子カバー
１１、１２、１３、４４  接着部
２  内側シート
２１  内側第一表紙部
２２  内側背表紙部
２３  内側第二表紙部
３  外側シート
３１  外側第一表紙部
３２  外側背表紙部
３３  外側第二表紙部
３４、３５、３６、３７、７１  孔
３４１、３５１  溝
４１  第一差込シート
４３  第二差込シート
５  伸長部
５１  外側層
５１ａ  第一折り目
５２  折り返し層
５２ａ  第二折り目
５３  内側層
５４  固定部
５５  溝
６  開閉部
６１、６２  レール
６３  スライダー
７０  覆部
８０  スリット
９０  冊子
９１  筆記用具
９２  携帯音楽プレイヤー
９３  イヤホンの配線
９４  紙類
【図１】
0005952318.tif 000002
【図２】
0005952318.tif 000003
【図３】
0005952318.tif 000004
【図４】
0005952318.tif 000005
【図５】
0005952318.tif 000006
【図６】
0005952318.tif 000007
【図７】
0005952318.tif 000008
【図８】
0005952318.tif 000009
【図９】
0005952318.tif 000010
【図１０】
0005952318.tif 000011
【図１１】
0005952318.tif 000012
【図１２】
0005952318.tif 000013
【図１３】
0005952318.tif 000014
【図１４】
0005952318.tif 000015
【図１５】
0005952318.tif 000016
【図１６】
0005952318.tif 000017
【図１７】
0005952318.tif 000018
【図１８】
0005952318.tif 000019
【図１９】
0005952318.tif 000020
【図２０】
0005952318.tif 000021